(57)【特許請求の範囲】
【請求項１】
接地底(10)と中底(20)との間であって、土踏まず部(1)を含む踵部領域(H)の全域に、踵部用緩衝片(30)を介在させて接地底(10)と中底(20)とを積層してなり、構成部材の傾斜面相互を接着して接地底(10)を形成する履物底において、
前記接地底(10)の構成を、硬質の爪先部片(11)と、該爪先部片(11)より軟質の前踏部片(12)と、土踏まず部を含み前記爪先部片(11)と同等の硬さの踵部片(13)とが、前踏部片(12)の接地面を底辺とした断面正台形の傾斜辺部で形成した傾斜接着面(14)に対応させて形成した接着面相互の接着により接続した構成とし、
前記中底(20)の構成を、前記接地底(10)の前踏部片(12)に重なる部位の中央部領域に貫設した抜き穴(21)に、中底(20)部材の硬さより軟質の前踏部クッション体(22)を、中底(20)表面から突出するように嵌合接着した構成とし、
踵部用緩衝片(30)を、介在主体(31)の一端部から土踏まず部に向かって厚みを漸減させた断面楔形部分(32)とで形成したクッション部材で形成したことを特徴とする履物底。
【請求項２】
踵部領域(H)又は接地底(10)及び中底(20)の硬質部が、レザーボード、ポリプロピレンをバインダーとする不織布、硬質ウレタンゴムのいずれかであり、
また爪先部領域(T)又は中底(20)に嵌合接着した前踏部クッション体(22)及び踵部用緩衝片(30)が、コルク、スポンジ、ゴムスポンジ、フェルト、ポリ・ノルボルネン系ゴム、発泡ポリウレタンのいずれかである請求項１記載の履物底。
【請求項３】
中底(20)の抜き穴(21)に嵌合接着される軟質部材は、抜き穴(21)の輪郭と相似的に形成した鍔部を具備する形状である請求項１又は２記載の履物底。
【発明の詳細な説明】
【０００１】
【発明の属する技術分野】
本発明は、足の運びに無理がなくて歩行がし易く、接地面からの突上げ等に対する足裏刺激を緩和することが要求される一般的な靴、サンダル、障害者用履物等の履物底に関する。
【０００２】
【従来の技術】
一般に履物底の多くは、一体成形または接着した踵片を含む、天然皮革、合成皮革、ウレタンゴム等からなる接地底に、レザーボード、ポリプロピレンをバインダーとする不織布、硬質ウレタンゴム等からなる中底を接着積層した構成となっている。
【０００３】
このような構成の履物底を使用している履物は、履物底が僅かに衝撃吸収性を有するものの、全体としては硬質であるために、履いた場合の足裏が受ける触感は硬く、また歩行運足時の履物底の変形態様と、体重移動時に作用する、足の爪先部分、指の付け根部、前踏部、土踏まず部、踵部に対する力に順応した足の運動態様との不一致となり、これが円滑且つ安定的な歩行運足による体重移動の阻害や疼痛、歩行疲労の増大の要因となっている。
【０００４】
特に、円滑且つ安定的な歩行運足による体重移動の阻害は、平衡感覚のとりにくい怪我後遺症のある人を含む障害者用の履物の底構造として不適当であり、その改良が望まれている。
【０００５】
【発明が解決しようとする課題】
本発明は、歩行運足による体重移動時の足の爪先部片、指の付け根部、前踏部片に作用する力に順応する足の運動態様に近似した状態に無理なく変形して順応するともに、硬度差のある足裏前踏部との接触を優しくし、接地面からの突上げ等に対して緩和することにより、疼痛や歩行疲労を大幅に軽減することができる履物底の提供を課題とする。
【０００６】
【課題を解決するための手段】
本発明に係る履物底は前記課題を解決する、接地底(10)と中底(20)とを積層接着した履物底であり、構成を以下説明する。
【０００７】
本発明に係る履物底は、接地底(10)と中底(20)との間であって、土踏まず部(1)を含む踵部領域(H)の全域に、踵部用緩衝片(30)を介在させて接地底(10)と中底(20)とを積層してなり、構成部材の傾斜面相互を接着して接地底(10)を形成する履物底において、前記接地底(10)の構成を、硬質の爪先部片(11)と、該爪先部片(11)より軟質の前踏部片(12)と、土踏まず部を含み前記爪先部片(11)と同等の硬さの踵部片(13)とが、前踏部片(12)の接地面を底辺とした断面正台形の傾斜辺部で形成した傾斜接着面(14)に対応させて形成した接着面相互の接着により接続した構成とし、前記中底(20)の構成を、前記接地底(10)の前踏部片(12)に重なる部位の中央部領域に貫設した抜き穴(21)に、中底(20)部材の硬さより軟質の前踏部クッション体(22)を、中底(20)表面から突出するように嵌合接着した構成とし、踵部用緩衝片(30)を、介在主体(31)の一端部から土踏まず部に向かって厚みを漸減させた断面楔形部分(32)とで形成したクッション部材で形成したことを特徴としている。
【０００８】
【発明の効果】
本発明に係る履物底の構成によれば、硬質の爪先部(4)、これより軟質の前踏部片(12)及び爪先部片(11)と同等の硬さの踵部片(13)とで形成した接地底(10)が、前踏部片(12)の接地面を底辺とした断面正台形の傾斜辺部で形成した傾斜接着面(14)で接着接続したことと、前記接地底(10)の前踏部片(12)に重なる部位の中央部領域に貫設した抜き穴(21)に、中底(20)部材の硬さより軟質の前踏部クッション体(22)を、中底(20)の表面から突出するように嵌合接着したことによって、履物底として爪先部領域(T)に要求される、歩行運足による体重移動時の足の爪先部片(11)、指の付け根部、前踏部片(12)に作用する力に順応する足の運動態様に近似した状態に、無理なく変形して順応すること、軟質の前踏部クッション体(22)の突出により硬度差による足裏前踏部との接触を優しくすること、接地面からの突上げ等に対しての緩和機能を発揮することを可能とする。
【０００９】
加えて、中底(20)と接地底(10)の踵部積層間への、介在主体(31)の一端部から土踏まず部片(11)に向かって厚みを漸減させた断面楔形部分(32)とで形成した踵部用緩衝片(30)の介在によって、土踏まず部から踵部での緩衝機能をも併せて発揮する。
【００１０】
さらに請求項２に記載の発明に係る履物底は、踵部領域(H)又は接地底(10)及び中底(20)の硬質部を、レザーボード、ポリプロピレンをバインダーとする不織布、硬質ウレタンゴムのいずれかとし、爪先部領域(T)又は中底(20)に嵌合接着した前踏部クッション体(22)及び踵部用緩衝片(30)を、コルク、スポンジ、ゴムスポンジ、フェルト、ポリ・ノルボルネン系ゴム、発泡ポリウレタンのいずれかとしていることから、耐衝撃性に優れるとともに、体重の継続的付加による馴染み変形して、履用者固有の足裏、特に指の付け根から前踏部の形に合致するようになって、履き心地の良い履物の提供に貢献することができる。
【００１１】
そしてまた請求項３に記載の発明に係る履物底は、中底(20)の抜き穴(21)に嵌合接着される前踏部クッション体(22)は、抜き穴(21)の輪郭と相似的に形成した鍔部を具備する形状とすることによって、硬度の異なる境界部分の硬度変化が緩やかとなって足裏との接触の違和感が解消できる。
【００１２】
【発明の実施の形態】
及び
【実施例】
図１は本発明の実施例に係る履物底の分解断面図、図２は完成品の断面図、図３は平面図、図４は底面図である。
【００１３】
（実施例）
本発明の実施例に係る履物底は、一般的な履物底と同様、接地底(10)と中底(20)との間であって、土踏まず部(1)を含む踵部領域(H)の全域に、介在主体(31)の一端部から土踏まず部(1)に向かって厚みを漸減させた断面楔形部分(32)とで形成した踵部用緩衝片(30)を、接地底(10)と中底(20)との間に介在積層した構成となっている。
【００１４】
上記構成の履物底において、前記接地底(10)の構成は、硬質（Ａ硬度70〜75程度、以下同じ）の硬質ウレタンゴム部材を用いて成形手段により製作した爪先部片(11)、これより軟質（Ａ硬度60〜65程度、以下同じ）ウレタンゴム部材からなる前踏部片(12)及び爪先部片(11)と同等の硬さの硬質ウレタンゴム部材からなる踵部片(13)とが、前記前踏部片(12)の接地面を底辺とした断面正台形の傾斜辺部で形成した傾斜接着面に対応させて形成した接着面相互の接着により接続した構成である。
【００１５】
また、前記中底(20)の構成は、レザーボード、ポリプロピレンをバインダーとする不織布からなり、前記接地底(10)の前踏部(2)に重なる部位の中央部領域に貫設した抜き穴(21)に、該抜き穴(21)の輪郭と相似的に形成した鍔部を具備させたポリ・ノルボルネン系ゴムからなる前踏部クッション体(22)を、抜き穴(21)の輪郭線を鍔部で覆い且つ中底(20)表面から突出するように嵌合接着した構成である。
【００１６】
なお本発明の説明中に使用した「前踏部」なる用語の語意は、足の各指の根元に沿い土踏まず部の爪先寄り側にかけて膨らんでいる足裏部位又は該部位で押圧される靴底部位の領域のことである。
【００１７】
また構成部材相互の端面同士の接着接続は、少なくとも所定の傾斜面を具備させ、これに接着面の増大と、接地面が凸となる曲げに対する強度を確保するために、接着面に微細凹凸或は筋状凹凸を成形手段で設ける場合もある。
【図面の簡単な説明】
【図１】  本発明の実施例に係る履物底の分解断面図。
【図２】  本発明の実施例に係る履物底の断面図。
【図３】  本発明の実施例に係る履物底の平面図。
【図４】  本発明の実施例に係る履物底の底面図。
【符号の説明】
(1)    土踏まず部
(2)    前踏部
(3)    境界部
(4)    爪先部
(T)    爪先部領域
(H)    踵部領域
(6)    爪先領域部底部材片
(7)    踵部領域底部材片
(10)    接地底
(11)    爪先部片
(12)    前踏部片
(13)    踵部片
(20)    中底
(21)    抜き穴
(22)    前踏部クッション体
(30)    踵部用緩衝片
(31)    介在主体
(32)    断面楔形部分
【図１】
0003687061.tif 000002
【図２】
0003687061.tif 000003
【図３】
0003687061.tif 000004
【図４】
0003687061.tif 000005